(57)【特許請求の範囲】
【請求項１】
一面に押し出し部材操作用の窓と、前記窓と対向する他の面にヒンジ取り付け部とを有していて、ほぼ筒状に形成されているボディと、
上部に棒状固形物の収納部と下部にほぼ円弧状に形成されたカム面とを有するケースと、
前記ヒンジ取り付け部に装着されるヒンジと、前記カム面に当接するカム当接部とを有し、ヒンジを中心として回動し、カム当接部の回動によって前記カム面を介して前記ケースに直線変位を行わせて、ボディから棒状固形物を有するケースを繰り出させる押し出し部材と、
前記ケースをボディに収納する方向に常に押圧付勢するスプリング部材と、
前記ケースに入れた棒状固形物を覆い得る形状のキャップとを備えて構成したことを特徴とする
棒状固形物の繰り出し・収納容器。
【発明の詳細な説明】
【０００１】
【発明の属する技術分野】
本発明は、リップステック、リップグロス、チック、固形糊、クレヨン等を繰り出しおよび収納するための棒状固形物の繰り出し・収納容器に関する。
【０００２】
【従来の技術】
例えばリップステック、リップグロス、チック等の棒状固形物を繰り出しおよび収納する従来の容器は、中空のボディと、ねじ棒を有しかつそのねじ棒をボディの中心部に通してボティの一端部に配置された回転操作部と、めねじと棒状固形物の収容部とを有しかつめねじを前記ねじ棒に螺合させてボディの他端部に装着させたケースと、ボディとケース間に設けられたキーとキー溝と、棒状固形物からケースに亙って覆うキャップとを備えて構成されている。
【０００３】
そして、上記の従来の容器は、回転操作部を順方向または逆方向に回転させることにより、ケースと棒状固形物とを一緒にボディから繰り出しまたはボディ内に収納するようにしてある。
【０００４】
【発明が解決しようとする課題】
しかしながら、前記従来の容器は棒状固形物の繰り出しおよび収納操作が面倒であった。
【０００５】
従って本発明が解決しようとする課題は、ワンタッチ操作で棒状固形物を繰り出すことができ、かつ自動的に棒状固形物をケース内に収納することが可能で、しかも棒状固形物からなる内容物の繰り出し量を任意にかつ簡単に調節し得る棒状固形物の繰り出し・収納容器を提供することにある。
【０００６】
【課題を解決するための手段】
前記課題は、下記の構成を備えてなる本発明の棒状固形物の繰り出し・収納容器によって、解決される。
すなわち、本発明は、一面に押し出し部材操作用の窓と、前記窓と対向する他の面にヒンジ取り付け部とを有していて、ほぼ筒状に形成されているボディと、
上部に棒状固形物の収納部と下部にほぼ円弧状に形成されたカム面とを有するケースと、
前記ヒンジ取り付け部に装着されるヒンジと、前記カム面に当接するカム当接部とを有し、ヒンジを中心として回動し、カム当接部の回動によって前記カム面を介して前記ケースに直線変位を行わせて、ボディから棒状固形物を有するケースを繰り出させる押し出し部材と、
前記ケースをボディに収納する方向に常に押圧付勢するスプリング部材と、
前記ケースに入れた棒状固形物を覆い得る形状のキャップとを備えて構成した
棒状固形物の繰り出し・収納容器からなるものである。
【００１２】
前記構成による本発明の棒状固形物の繰り出し・収納容器においては、キャップを取り外してから、押し出し部材を指先で押すだけで、カム当接部とカム面とを介して、ボディから棒状固形物を備えたケースを繰り出すことができる。
【００１３】
しかも本発明の棒状固形物の繰り出し・収納容器では、前記指先で押す力を加減することによって、ケースと一緒に棒状固形物の繰り出し量を任意に調節することができる。
【００１４】
また、指先の押圧力を解除すると、スプリング部材の押圧力により、ケースと一緒に棒状固形物を自動的にボディ内に収納しておくことができる。
【００１５】
【発明の実施の形態】
以下、本発明の棒状固形物の繰り出し・収納容器の実施の形態を、図面に基づいて説明する。
図１〜図５は本発明の棒状固形物の繰り出し・収納容器の一実施例を示すものであり、図１は容器の外観を示す斜視図、図２はボディ内にケースと一緒に棒状固形物を収納した状態の縦断側面図、図３は図２の状態におけるケースと押し出し部材との関係を示す斜視図、図４はボディからケースと一緒に棒状固形物を繰り出した状態の縦断側面図、図５は図４の状態におけるケースと押し出し部材との関係を示す斜視図である。
【００１６】
これらの図１〜図５に示される実施例品からなる棒状固形物の繰り出し・収納容器においては、ボディ１と、棒状固形物２０を入れるケース８と、押し出し部材１４と、スプリング部材であるコイルスプリング１８と、キャップ１９とを備えて構成されている。
【００１７】
前記ボディ１は、筒状体２と、これの下部内側に一体的に取り付けられた台座６とを有している。
【００１８】
前記筒状体２には、キャップ受け止め部３と、押し出し部材操作用の窓４と、スプリング収容部５とが設けられている。前記キャップ受け止め部３は、筒状体２の下部に段部を付けて形成されている。前記押し出し部材操作用の窓４は、筒状体２の中腹の一部をくり抜いた形状に形成されている。前記スプリング収容部５は、筒状体２の上端部を内側に折り返した形状に形成されている。更に前記台座６には、ヒンジ取り付け部７が形成されている。
【００１９】
前記ケース８は、棒状固形物２０の収納部９と、カム取付部材１０と、カム面１３とを有している。
【００２０】
前記収納部９は、棒状固形物２０を入れるためにふさわしいカップ型に形成されている。前記カム取付部材１０は、プレート１１と、互いに所定の間隔を置いて該プレート１１から垂下している２枚のカム板１２とからなり、正面から見てほぼΠ字型に形成されている。前記カム面１３は、前記各カム板１２にほぼ円弧状に形成されている。
【００２１】
前記押し出し部材１４は、ほぼ椅子型に形成された本体１５と、これの前脚部に当たる部位に設けられたヒンジ１６と、本体１５の背もたれに当たる部位に設けられたカム当接部１７とを有している。
【００２２】
前記ヒンジ１６は、ボディ１の台座６に設けられたヒンジ取り付け部７にスナップ結合されている。そして、押し出し部材１４はこのヒンジ１６を支点として回動させ得るように取り付けられている。前記カム当接部１７は、カム面１３に接してこれを押圧し、ケース８とこれに収容された棒状固形物２０とを一緒に繰り出させ得るように構成されている。
【００２３】
前記コイルスプリング１８は、ボディ１の筒状体２に設けられたスプリング収容部５に収容され、このスプリング収容部５の天井部と、ケース８のカム取付部材１０のプレート１１間に縮設されている。そして、このコイルスプリング１８はケース８をボディ１に収納する方向に常に押圧付勢している。
【００２４】
前記キャップ１９は、この実施例品では、棒状固形物２０を入れてあるケース８を収納したボディ１の外側に、これらを被せ得る細長い形状に形成されている。
【００２５】
なお、この実施例では図１から分かるように、ボディ１、ケース８および棒状固形物２０を、平面から見て矩形に形成しているが、円形やだ円形、または矩形以外の多角形に形成してもよい。
【００２６】
また、コイルスプリング１８以外の各部材をプラスチックで形成してもよく、あるいはボディ１の台座６、ケース８、押し出し部材１４およびキャップ１９をプラスチック製とし、ボディ１の筒状体２を金属製として高級感を現出するようにしてもよい。
【００２７】
前記構成による本発明の実施例品である棒状固形物の繰り出し・収納容器では、ケース８の収容部９に、例えばリップステック、リップグロス、チック、固形糊またはクレヨン等の任意の棒状固形物２０を収容しておく。
【００２８】
そして、通常の状態ではコイルスプリング１８により、ケース８のカム取付部材１０のプレート１１が押圧され、これに伴ない、ケース８とこれに収容された棒状固形物２０とがボディ１内に収納される。また、使用しない状態では、ボディ１の外側にキャップ１９を被嵌しておく。
【００２９】
棒状固形物２０を使用する場合には、キャップ１９を外した後、ボディ１の筒状体２に設けられている押し出し部材操作用の窓４を通じて、図１、図４および図５に矢印Ｐで示す方向に、指先で押し出し部材１４をコイルスプリング１８の押圧力に抗して押す。このように、押し出し部材１４を押すと、この押し出し部材１４がヒンジ１６を支点として回動し、押し出し部材１４のカム当接部１７がケース８のカム面１３を押し、ケース８と棒状固形物２０とが一緒にボディ１から繰り出される。そして、押し出し部材１４を押したままの状態で使用する。したがって、ワンタッチ操作にて、ボディ１から棒状固形物２０を繰り出して使用することができる。
【００３０】
このときの棒状固形物２０の繰り出し量は、押し出し部材１４に対する押圧力の大小によって決まる。したがって、押し出し部材１４への押圧力を加減することによって、棒状固形物２０の繰り出し量を任意に調節することができる。
【００３１】
使用後は、指先を放し、押し出し部材１４に対する押圧力を解除すると、コイルスプリング１８の押圧力により、ケース８のカム取付部材１０のプレート１１が押され、ケース８と棒状固形物２０とがボディ１内に自動的に収納される。このように、ボディ１内にケース８と棒状固形物２０とを収納後、キャップ１９を被せておく。
【００３２】
なお、本発明の棒状固形物の繰り出し・収納容器では、ケース８と棒状固形物２０とをボディ１に収納する方向に押圧付勢するスプリング部材は、図面に示すコイルスプリング１８に限定されるものではなく、所期の機能を有するものであればよい。
【００３３】
【発明の効果】
以上説明したように、本発明の棒状固形物の繰り出し・収納容器によれば、ボディ１に設けられた窓４を通じて、指先で押し出し部材１４を押すだけで、ボディ１からケース８と一緒に棒状固形物２０を繰り出すことができるため、ワンタッチ操作で棒状固形物２０を繰り出して使用し得る効果がある。
【００３４】
また、本発明の棒状固形物の繰り出し・収納容器では、押し出し部材１４に対する押圧力を加減するだけで、ボディ１からケース８と一緒に繰り出される棒状固形物２０の繰り出し量を任意に調節して使用することができる。
【００３５】
さらに、本発明の棒状固形物の繰り出し・収納容器では、内容物である棒状固形物の使用後には、押し出し部材１４から指先を放し、その押圧力を解除するだけで、スプリング部材の作用により、ボディ１内にケース８と一緒に棒状固形物２０を自動的に収納し得る。
【図面の簡単な説明】
【図１】本発明の棒状固形物の繰り出し・収納容器の１実施例品を示すものであって、容器の外観を示す斜視図である。
【図２】図１の実施例品において、ボディ内にケースと一緒に棒状固形物を収納した状態の縦断側面図である。
【図３】図２の状態におけるケースと押し出し部材との関係を示す斜視図である。
【図４】同実施例品のボディからケースと一緒に棒状固形物を繰り出した状態の縦断側面図である。
【図５】図４の状態におけるケースと押し出し部材との関係を示す斜視図である。
【符号の説明】
１…ボディ
４…押し出し部材操作用の窓
７…ヒンジ取り付け部
８…棒状固形物のケース
９…棒状固形物の収容部
１３…カム面
１４…押し出し部材
１６…ヒンジ
１７…カム当接部
１８…スプリング部材であるコイルスプリング
１９…キャップ
２０…内容物である棒状固形物
Ｐ…押し出し部材に対する押圧方向
【図１】
0004256504.tif 000002
【図２】
0004256504.tif 000003
【図３】
0004256504.tif 000004
【図４】
0004256504.tif 000005
【図５】
0004256504.tif 000006